(57)【要約】【課題】制御目標値を正確かつ短時間に決定することのできる容積補償式の血圧情報測定装置を提供すること。【解決手段】血圧情報測定装置は、基準脈波、計測用脈波およびカフ圧に基づいて、サーボ制御の制御目標値を検出する際のカフ圧の制御範囲を決定するための決定処理部１０３と、決定された制御範囲において、カフ圧を徐々に変化させることにより制御目標値を検出するための検出処理部１０４とを含む。決定処理部１０３は、調整機構５０を制御することにより、カフ圧を瞬時に変化させるための調整制御部１１２と、瞬時変化期間に得られる基準脈波、計測用脈波およびカフ圧に基づいて、最高血圧および最低血圧を推定し、推定された最高血圧および最低血圧それぞれを制御範囲の上限値および下限値として算出するための算出部１１４とを有する。【選択図】図６
2010051659.tif 000002
【特許請求の範囲】
【請求項１】
動脈の容積を検出することにより血圧情報を測定するための血圧情報測定装置であって、
所定の測定部位に巻き付けるためのカフと、
前記カフ内の圧力を加圧および減圧により調整するための調整手段と、
前記カフ内の圧力を表わすカフ圧を検出するための圧力検出手段と、
前記カフの所定の位置に配置され、前記カフの圧迫に伴なう前記動脈の容積の変化を表わす第１の動脈容積信号を検出するための第１の容積検出手段と、
前記カフの上流側に配置され、前記動脈の拍動に伴なう容積の変化を表わす第２の動脈容積信号を検出するための第２の容積検出手段と、
容積補償法に従い前記血圧情報を測定するための制御を行なう制御手段とを備え、
前記制御手段は、
前記第１の動脈容積信号に基づいて、前記動脈の容積が一定となるように前記調整手段をサーボ制御するためのサーボ制御手段と、
前記第１および第２の動脈容積信号とカフ圧とに基づいて、前記サーボ制御手段による制御目標値を検出する際のカフ圧の制御範囲を決定するための決定処理手段とを含み、
前記決定処理手段は、
前記調整手段を制御することにより、カフ圧を瞬時に変化させるための調整制御手段と、
前記調整制御手段による制御期間を表わす瞬時変化期間に得られる前記第１および第２の動脈容積信号とカフ圧とに基づいて、最高血圧および最低血圧を推定し、推定された前記最高血圧および前記最低血圧それぞれを前記制御範囲の上限値および下限値として算出するための算出手段とを有し、
前記制御手段は、前記決定処理手段により決定された前記制御範囲において、カフ圧を徐々に変化させることにより、前記第１の動脈容積信号に基づいて前記制御目標値を検出するための検出処理手段をさらに含み、
前記サーボ制御手段は、前記第１の動脈容積信号の値が、前記検出処理手段により検出された前記制御目標値と一致するようにサーボ制御する、血圧情報測定装置。
【請求項２】
前記算出手段は、前記瞬時変化期間に得られる前記第１の動脈容積信号とカフ圧とに基づいて、前記動脈の閉塞端点を示す前記第１の動脈容積信号における特徴点を検出することにより血圧値を算出し、算出された前記血圧値と、前記閉塞端点が検出された時点における前記第２の動脈容積信号のレベルと、被測定者の脈圧を表わす脈圧値とに基づいて、前記最高血圧および前記最低血圧を推定する、請求項１に記載の血圧情報測定装置。
【請求項３】
前記調整制御手段は、所定の圧力値から少なくとも前記閉塞端点が検出されるまでの間を、１心拍以内に変化させる、請求項２に記載の血圧情報測定装置。
【請求項４】
前記脈圧値は、所定の値である、請求項３に記載の血圧情報測定装置。
【請求項５】
前記所定の値は、脈圧の最大レベルである、請求項４に記載の血圧情報測定装置。
【請求項６】
前記調整制御手段は、１心拍以内のカフ圧の調整を２回実行し、
前記算出手段は、２心拍分の血圧値を算出し、前記２心拍分の血圧値より前記脈圧値を推定する、請求項３に記載の血圧情報測定装置。
【発明の詳細な説明】
【技術分野】
【０００１】
本発明は、血圧情報測定装置に関し、特に、容積補償法を用いて血圧情報を測定することのできる血圧情報測定装置に関する。
【背景技術】
【０００２】
従来より、非侵襲で簡便に血圧を測定できる手法として、容積補償法による血圧測定が開発されている。容積補償法とは次のようである。つまり、生体外からカフによって動脈を圧迫し、心拍に同期して脈動する動脈の容積を常時一定に保つことで測定部位を圧迫する圧力（カフ圧）と測定部位の動脈の内圧すなわち血圧とを平衡させ、この平衡状態を維持したときのカフ圧を検出することにより連続的に血圧値を得る方式である。
【０００３】
したがって、容積補償法では、動脈が無負荷状態にあるときの容積値すなわち制御目標値（以下「Ｖ０」ともいう）の検出、および、この無負荷状態を維持すること（サーボ制御）の２点が重要となる。特に、Ｖ０の決定は、血圧測定の精度に直接影響するため非常に重要である。
【０００４】
Ｖ０の決定方法としては、たとえば、カフにより動脈を徐々に圧迫していき、そのときに得られる動脈容積変化信号の最大点を検出することにより、Ｖ０を決定する方法がある（特許文献１）。
【０００５】
また、Ｖ０の決定に要する時間の短縮を実現するための提案も従来よりなされている。たとえば特許文献２では、カフ圧に高周波微小圧振動（例えば、２０Ｈｚ、１０ｍｍＨｇの正弦波状の圧振動）を重畳させ、その高周波微小圧振動による動脈容積変化が最大となる点を検出することで、Ｖ０を決定する。
【０００６】
なお、血圧の測定時間の短縮に関しては、容積補償法とは異なるが、従来より、カフ圧を１心拍以内に急速に加減圧し、動脈内圧＝カフ圧となった瞬間を示す脈波上の特徴点を検出し、その時点のカフ圧を血圧値として決定する技術が存在する（特許文献３）。
【特許文献１】特許第１５４７９５９号公報（特開昭５９−１５６３２５号公報）
【特許文献２】特開２００８−３６００４号公報
【特許文献３】米国特許第６８０２８１６号明細書
【発明の開示】
【発明が解決しようとする課題】
【０００７】
特許文献１の方法は、正確なＶ０が検出できる反面、Ｖ０の決定に時間がかかるため、血圧の連続測定を迅速に開始できない。また、血圧の連続測定中にも、血圧変動、ストレス、環境の変化などにより、Ｖ０が変動することがあり、その都度Ｖ０を再検出する必要があるが、その場合にもＶ０決定に時間がかかるため、Ｖ０の再決定中は血圧値を測定できないことになる。
【０００８】
また、特許文献２の発明によると、短時間でＶ０を決定することができるものの、特許文献１の方法と比べると精度が悪くなるという問題がある。
【０００９】
本発明は、上記のような問題を解決するためになされたものであって、その目的は、制御目標値を正確かつ短時間に決定することのできる容積補償式の血圧情報測定装置を提供することである。
【課題を解決するための手段】
【００１０】
この発明のある局面に従う血圧情報測定装置は、動脈の容積を検出することにより血圧情報を測定するための血圧情報測定装置であって、所定の測定部位に巻き付けるためのカフと、カフ内の圧力を加圧および減圧により調整するための調整手段と、カフ内の圧力を表わすカフ圧を検出するための圧力検出手段と、カフの所定の位置に配置され、カフの圧迫に伴なう動脈の容積の変化を表わす第１の動脈容積信号を検出するための第１の容積検出手段と、カフの上流側に配置され、動脈の拍動に伴なう容積の変化を表わす第２の動脈容積信号を検出するための第１の容積検出手段と、容積補償法に従い血圧情報を測定するための制御を行なう制御手段とを備える。制御手段は、第１の動脈容積信号に基づいて、動脈の容積が一定となるように調整手段をサーボ制御するためのサーボ制御手段と、第１および第２の動脈容積信号とカフ圧とに基づいて、サーボ制御手段による制御目標値を検出する際のカフ圧の制御範囲を決定するための決定処理手段と、決定処理手段により決定された制御範囲において、カフ圧を徐々に変化させることにより、第１の動脈容積信号に基づいて制御目標値を検出するための検出処理手段とを含み、サーボ制御手段は、第１の動脈容積信号の値が、検出処理手段により検出された制御目標値と一致するようにサーボ制御する。決定処理手段は、調整手段を制御することにより、カフ圧を瞬時に変化させるための調整制御手段と、調整制御手段による制御期間を表わす瞬時変化期間に得られる第１および第２の動脈容積信号とカフ圧とに基づいて、最高血圧および最低血圧を推定し、推定された最高血圧および最低血圧それぞれを制御範囲の上限値および下限値として算出するための算出手段とを有する。
【００１１】
好ましくは、算出手段は、瞬時変化期間に得られる第１の動脈容積信号とカフ圧とに基づいて、動脈の閉塞端点を示す第１の動脈容積信号における特徴点を検出することにより血圧値を算出し、算出された血圧値と、閉塞端点が検出された時点における第２の動脈容積信号のレベルと、被測定者の脈圧を表わす脈圧値とに基づいて、最高血圧および最低血圧を推定する。
【００１２】
好ましくは、調整制御手段は、所定の圧力値から少なくとも閉塞端点が検出されるまでの間を、１心拍以内に変化させる。
【００１３】
好ましくは、脈圧値は、所定の値である。
好ましくは、所定の値は、脈圧の最大レベルである。
【００１４】
好ましくは、調整制御手段は、１心拍以内のカフ圧の調整を２回実行し、算出手段は、２心拍分の血圧値を算出し、２心拍分の血圧値より脈圧値を推定する。
【発明の効果】
【００１５】
本発明によると、制御目標値を検出する際のカフ圧の制御範囲が瞬時に決定されるため、制御目標値の検出に要する時間を短縮することができる。また、制御目標値の検出は、従来と同様にカフ圧を徐々に変化させる過程で実行されるため、制御目標値の検出精度を高く保つことができる。
【発明を実施するための最良の形態】
【００１６】
本発明の実施の形態について図面を参照しながら詳細に説明する。なお、図中同一または相当部分には同一符号を付してその説明は繰返さない。
【００１７】
本発明の実施の形態について図面を参照しながら詳細に説明する。なお、図中同一または相当部分には同一符号を付してその説明は繰返さない。
【００１８】
本発明の実施の形態における血圧情報測定装置は、容積補償法に基づいて血圧情報を測定する。本実施の形態において、「血圧情報」とは、循環器系の特徴を示す情報であり、少なくとも脈波を含み、脈波に加え、脈波より算出可能な指標、たとえば、最高血圧、最低血圧、平均血圧、脈拍数、ＡＩ（Augmentation Index）値等をさらに含む。
【００１９】
上記血圧情報の一つである脈波には、捉える対象の違いから圧脈波と容積脈波が存在する。圧脈波は、心臓の拍動に伴う血管内容積の変動をカフの容積変化に変換することで、脈波をカフの容積変化に伴うカフ圧の変動として捉えたものであり、圧力センサからの出力に基づいて得ることができる。容積脈波は、脈波を心臓の拍動に伴う血管内容積の変動として捉えたものであり、動脈容積センサからの出力に基づいて得ることができる。なお、血管内容積の変動は、血管内の血液組織量変動として捉えることが可能である。
【００２０】
本明細書において使用する血圧情報測定装置という用語は、脈波を取得する機能を少なくとも有する装置全般を指すものであり、より特定的には、容積補償法に従うため、光学的な手法により血液組織量変動を検出して容積脈波を取得する装置を指すものである。その意味において、取得される容積脈波をそのまま測定結果として出力するものに限られず、取得された容積脈波に基づいて算出あるいは計測される上述のような特定の指標のみを測定結果として出力するものや、容積脈波および特定の指標の両方を測定結果として出力するものをも含む。
【００２１】
従来の代表的な容積補償法式の血圧情報測定装置においては、特許第１５４７９５９号公報（特許文献１）に記載されたような方式でＶ０（制御目標値）を検出する。具体的には、最低血圧より十分低い圧力から最高血圧より十分高い圧力まで、カフを徐々に加圧する（加圧速度：３〜５ｍｍＨｇ／ｓｅｃ）。その期間内で、動脈容積変化信号（容積脈波の交流成分）の最大値を検出し、そのときの動脈容積信号（容積脈波の直流成分）をＶ０とする。これは、カフ圧が被験者の動脈内圧（血圧）と一致したときに、動脈壁が無負荷状態（外圧と動脈内圧とが平衡した状態）となり、動脈の容積変化が最も大きくなるという性質を利用した方法である。
【００２２】
一般的に、被験者の血圧値は事前にはわからないため、Ｖ０検出のためにカフを加圧する圧力範囲は、例えば４０ｍｍＨｇから２８０ｍｍＨｇなど、幅広い被験者に適用可能である必要がある。そのため、Ｖ０検出まで約１分程度の時間を要する（例えば２４０ｍｍＨｇを４ｍｍＨｇ／ｓｅｃで加圧した場合、６０秒必要）。予め血圧値（最高血圧および最低血圧）がわかっていれば、カフを加圧する圧力範囲を限定できるため、Ｖ０検出に要する時間を短縮できる。
【００２３】
そこで、Ｖ０検出制御の前に、被測定者の最高血圧および最低血圧を推定することが考えられる。従来のオシロメトリック法を利用した場合、血圧測定に最低でも３０秒程度必要であるため、全体の時間短縮にはつながらない。これに対し、測定時間を短縮する方法として、上述のように、動脈を圧迫するカフ圧を急速に加減圧し、動脈圧＝カフ圧となった瞬間を示す脈波上の特徴点（動脈の閉塞開始／終了点）を検出し、その時点のカフ圧を血圧値として測定する方法がある（米国特許第６８０２８１６号（特許文献３））。
【００２４】
その原理は次の通りである。カフによって圧迫された動脈は、外圧すなわちカフ圧と血圧との大小関係に依存して容積変化を起こす。血圧は１心拍周期内で最高血圧と最低血圧の間で変化しているため、動脈の容積もそれに応じて変化する。
【００２５】
図１は、瞬時にカフ圧を加圧した場合における動脈容積信号の特性と最高血圧との関係を示す図である。図１（Ａ）には、拍動に伴なう容積変化を示した容積脈波（基準脈波）が時間軸に沿って示されている。図１（Ｂ）には、カフ圧の変化と仮想的な動脈内圧との関係が、図１（Ａ）と同一の時間軸に沿って示されている。図１（Ｃ）には、図１（Ａ）と同一の時間軸に沿って、カフ圧の変化に伴なう動脈容積信号の変化（計測用脈波）の典型例が示されている。
【００２６】
図１（Ｂ）に示すとおり、カフ圧が動脈内圧より大きいと、動脈がカフ圧によって一時的に押しつぶされる。そうすると、図１（Ｃ）に示されるように、検出される動脈容積の波形も平坦になる。この区間を動脈の「閉塞区間」と呼ぶ。
【００２７】
図１（Ｂ），（Ｃ）を参照して、カフ圧を最高血圧（ＳＹＳ）より高い値から減圧した時の閉塞終了点Ｐｓ（反対にカフ圧を最低血圧より低い値から加圧した時は「閉塞開始点」と呼ぶ。）は、カフ圧が１心拍内のある時点の血圧と一致する瞬間である。したがって、その特徴点Ｐｓを検出することで、その時点での血圧値ＢＰｘを測定することができる。以下、このようにして測定された血圧値を「瞬時血圧値」ともいう。
【００２８】
また、図１（Ａ）に示すような、基準脈波としてカフ（空気袋）の上流側で検出した動脈容積信号を同時に記録することで、閉塞終了点Ｐｓにおける血圧値と動脈容積の関係を求めることができるとともに、閉塞終了点Ｐｓが１心拍周期中のどの時点で発生したか（すなわち、得られた瞬時血圧値ＢＰｘが１心拍周期中のどの時点の血圧値か）を測ることができる。したがって、閉塞終了点Ｐｓが最高血圧の時点Ｐｂで発生するようにカフ圧を適切に制御すれば、最高血圧が測定できる。
【００２９】
同様に、閉塞終了点Ｐｓが最低血圧（ＤＩＡ）の時点Ｐａで発生するようにカフ圧を適切に制御すれば、最低血圧も測定できる。瞬時にカフ圧を加圧した場合における動脈容積信号の特性と最低血圧との関係を図２に示す。図２（Ａ）〜（Ｃ）は、それぞれ、図１（Ａ）〜（Ｃ）と同様であるものとする。
【００３０】
しかし、血圧値や脈拍間隔は常に変動しているため、ちょうど最高血圧や最低血圧の時点Ｐａ，Ｐｂで血圧と一致するようにカフ圧を制御するのは非常に困難である。そのため、このような技術を用いても、カフ圧の加減圧のタイミング調整に時間がかかるため、測定時間が長くなる。
【００３１】
そこで、本発明においては、加減圧のタイミングを調整するなどして最高血圧と最低血圧を測定するのではなく、得られた瞬時血圧値と閉塞終了点の情報を利用して、Ｖ０検出に使用するカフ圧の制御範囲（圧力範囲）を決定する。
【００３２】
以下に、本発明の実施の形態について詳細に説明する。なお、本明細書において、閉塞開始点および閉塞終了点を総称して「閉塞端点」ともいう。
【００３３】
＜外観および構成について＞
（外観について）
図３は、本発明の実施の形態に係る血圧情報測定装置１の外観斜視図である。血圧情報測定装置１の外観は、一般的な血圧計と同様である。
【００３４】
図３を参照して、血圧情報測定装置１は、本体部１０と、被測定者の手首に巻き付け可能なカフ２０とを備える。本体部１０はカフ２０に取り付けられている。本体部１０の表面には、たとえば液晶等により構成される表示部４０と、ユーザ（被測定者）からの指示を受付けるための操作部４１とが配置されている。操作部４１は、複数のスイッチを含む。
【００３５】
なお、本実施の形態において、カフ２０は、被測定者の手首に装着されるものとして説明する。しかしながら、カフ２０が装着される部位（測定部位）は、手首に限定されるものではなく、たとえば、上腕であってもよい。
【００３６】
また、本実施の形態における血圧情報測定装置１は、図３に示されるように、本体部１０がカフ２０に取り付けられた形態を例に説明する。しかしながら、上腕式の血圧情報測定装置で採用されているような、本体部１０とカフ２０とがエアチューブ（図５においてエアチューブ３１）によって接続される形態のものであってもよい。
【００３７】
（ハードウェア構成について）
図４は、本発明の実施の形態に係る血圧情報測定装置１のハードウェア構成を表わすブロック図である。
【００３８】
図４を参照して、血圧情報測定装置１のカフ２０は、空気袋２１と、２つの動脈容積センサ７０Ａ，７０Ｂとを含む。動脈容積センサ７０Ａは、カフ２０の圧迫に伴なう動脈容積の変化を検出するために設けられ、発光素子７１Ａと受光素子７２Ａとを有する。動脈容積センサ７０Ｂは、カフ２０の圧迫の影響を受けることなく動脈の拍動に伴なう動脈容積の変化を検出するために設けられ、発光素子７１Ｂと受光素子７２Ｂとを有する。
【００３９】
各発光素子７１Ａ，７１Ｂは、動脈に対して光を照射し、各受光素子７２Ａ，７２Ｂは、それぞれ、発光素子７１Ａ，７１Ｂによって照射された光の動脈の透過光または反射光を受光する。
【００４０】
図５は、動脈容積センサ７０Ａおよび動脈容積センサ７０Ｂの配置例を示す図である。図５を参照して、動脈容積センサ７０Ａを構成する発光素子７１Ａおよび受光素子７２Ａは、たとえば、空気袋２１の内側に所定の間隔に配置される。動脈容積センサ７０Ｂを構成する発光素子７１Ｂおよび受光素子７２Ｂは、カフ２０の上流側、すなわち、測定部位の表面のうち、カフ２０により圧迫される部分の外側かつ心臓に近い部分に配置されればよい。本実施の形態では、動脈容積センサ７０Ｂの少なくとも一部が、カフ２０に所定の間隔で接着されているものとするが、このような形態に限らず、動脈容積センサ７０Ｂは、カフ２０と別に設けられ、ユーザにより配置されてもよい。
【００４１】
なお、動脈容積センサ７０は、動脈の容積が検出できるものであればよく、インピーダンスセンサ（インピーダンスプレスチモグラフ）により動脈の容積を検出するものであってもよい。その場合、各発光素子７１Ａ，Ｂおよび各受光素子７２Ａ，Ｂに代えて、動脈を含む部位のインピーダンスを検出するための複数の電極（電流印加用の電極対、および、電圧検知用の電極対）が含まれる。
【００４２】
空気袋２１は、エアチューブ３１を介して、エア系３０に接続される。
本体部１０は、上述の表示部４０および操作部４１に加え、エア系３０と、各部を集中的に制御し、各種演算処理を行なうためのＣＰＵ（Central Processing Unit）１００と、ＣＰＵ１００に所定の動作をさせるプログラムや各種データを記憶するためのメモリ部４２と、測定された血圧情報を記憶するための不揮発性メモリ（たとえばフラッシュメモリ）４３と、ＣＰＵ１００に電力を供給するための電源４４と、計時動作を行なう計時部４５と、着脱可能な記録媒体１３２からプログラムやデータの読み出しおよび書き込みをするためのインターフェイス部４６とを含む。
【００４３】
操作部４１は、電源をＯＮまたはＯＦＦするための指示の入力を受付ける電源スイッチ４１Ａと、測定開始の指示を受付けるための測定スイッチ４１Ｂと、測定停止の指示を受付けるための停止スイッチ４１Ｃと、フラッシュメモリ４３に記録された血圧などの情報を読み出す指示を受付けるためのメモリスイッチ４１Ｄとを有する。
【００４４】
エア系３０は、空気袋２１内の圧力（カフ圧）を検出するための圧力センサ３２と、カフ圧を加圧するために、空気袋２１に空気を供給するためのポンプ５１と、空気袋２１の空気を排出しまたは封入するために開閉される弁５２とを含む。
【００４５】
本体部１０は、発光素子駆動回路７３Ａ，７３Ｂと、動脈容積検出回路７４Ａ，７４Ｂと、上記エア系３０に関連して、発振回路３３と、ポンプ駆動回路５３と、弁駆動回路５４とをさらに含む。
【００４６】
発光素子駆動回路７３Ａは、ＣＰＵ１００からの指令信号に応じて発光素子７１Ａを所定のタイミングで発光させる。同様に、発光素子駆動回路７３Ｂは、ＣＰＵ１００からの指令信号に応じて発光素子７１Ｂを所定のタイミングで発光させる。
【００４７】
動脈容積検出回路７４Ａは、受光素子７２Ａからの出力を電圧値に変換することで動脈容積を検知する。同様に、動脈容積検出回路７４Ｂは、受光素子７２Ｂからの出力を電圧値に変換することで動脈容積を検知する。
【００４８】
なお、本実施の形態では、２つの発光素子７１Ａ，７１Ｂに対して、それぞれ２つの発光素子駆動回路７３Ａ，７３Ｂを設けたが、１つの発光素子駆動回路で各発行素子７１Ａ，７１Ｂを駆動させることとしてもよい。同様に、２つの受光素子７２Ａ，７２Ｂからの信号を１つの動脈容積検出回路が受け付けて、それぞれを区別してＣＰＵ１００に出力してもよい。
【００４９】
圧力センサ３２は、静電容量形の圧力センサであり、カフ圧により容量値が変化する。発振回路３３は、圧力センサ３２の容量値に応じた発振周波数の信号をＣＰＵ１００に出力する。ＣＰＵ１００は、発振回路３３から得られる信号を圧力に変換し圧力を検知する。ポンプ駆動回路５３は、ポンプ５１の駆動をＣＰＵ１００から与えられる制御信号に基づいて制御する。弁駆動回路５４は弁５２の開閉制御をＣＰＵ１００から与えられる制御信号に基づいて行なう。
【００５０】
ポンプ５１、弁５２、ポンプ駆動回路５３および弁駆動回路５４は、カフ２０内の圧力を加圧および減圧により調整するための調整機構５０を構成する。なお、調整機構５０を構成する装置は、上記に限定されない。たとえば、調整機構５０は、上記に加えて、エアシリンダと、エアシリンダを駆動するためのアクチュエータとを含んでいてもよい。
【００５１】
また、カフ２０には空気袋２１が含まれることとしたが、カフ２０に供給される流体は空気に限定されるものではなく、たとえば液体やゲルであってもよい。あるいは、流体に限定されるものではなく、マイクロビーズなどの均一な微粒子であってもよい。
【００５２】
（機能構成について）
図６は、本発明の実施の形態に係る血圧情報測定装置１の機能構成を示す機能ブロック図である。
【００５３】
図６を参照して、ＣＰＵ１００は、カフ圧取得部１０２と、範囲決定処理部１０３と、検出処理部１０４と、サーボ制御部１０６と、血圧決定部１０８とを含む。なお、図６には、説明の簡単のために、これらの機能ブロックとの間で直接的に信号やデータが授受される周辺のハードウェアのみ示されている。
【００５４】
カフ圧取得部１０２は、発振回路３３からの信号に基づいてカフ圧を取得する。より具体的には、発振回路３３により検出された発振周波数の信号を圧力に変換することにより、カフ圧を取得する。取得したカフ圧は、範囲決定処理部１０３、検出処理部１０４、サーボ制御部１０６および血圧決定部１０８に出力される。
【００５５】
範囲決定処理部１０３は、被測定者の最高血圧および最低血圧を推定することにより、後述の検出処理部１０４でのカフ圧の制御範囲を決定する。範囲決定処理部１０３は、調整制御部１１２と算出部１１４とを含む。
【００５６】
調整制御部１１２は、調整機構５０のポンプ駆動回路５３および弁駆動回路５４を制御することで、カフ圧を瞬時に変化させる。具体的には、調整制御部１１２は、所定の圧力値から少なくとも閉塞端点が検出されるまでの間を１心拍以内に変化させる。なお、「カフ圧を変化させる」とは、カフ圧を加圧すること、および、カフ圧を減圧することのいずれかであり、本実施の形態では、前者であるものとする。加圧の速度は、上記区間を被測定者の１心拍以内に加圧できるような速度であればよく、所定の速度であってよい。
【００５７】
算出部１１４は、調整制御部１１２による制御期間を表わす瞬時変化期間に、カフ圧取得部１０２から得られるカフ圧と、動脈容積検出回路７４Ａから得られる動脈容積信号（「計測用脈波」という）と、動脈容積検出回路７４Ｂから得られる動脈容積信号（以下「基準脈波」という）とを入力する。そして、入力したこれらの情報に基づいて、被測定者の最高血圧および最低血圧を推定し、推定された最高血圧および最低血圧それぞれを制御範囲の上限値および下限値として算出する。
【００５８】
本実施の形態において、算出部１１４は、基準脈波とカフ圧とに基づいて、動脈の閉塞端点（加圧の場合、閉塞開始点）を示す、計測用脈波の特徴点を検出することにより、瞬時変化期間における血圧値（瞬時血圧値）を算出する。そして、算出された瞬時血圧値と、閉塞端点が検出された時点における基準脈波のレベルと、被測定者の脈圧を表わす脈圧値とに基づいて、最高血圧および最低血圧を推定する。
【００５９】
検出処理部１０４は、範囲決定処理部１０３により決定された下限値から上限値までカフ２０を加圧し、その過程において、動脈容積検出回路７４Ａから動脈容積信号（計測用脈波）を取得する。また、動脈容積信号の１拍ごとの変化（振幅）を表わす動脈容積変化信号（動脈容積信号の交流成分）を検出する。動脈容積変化信号は、たとえば、動脈容積信号をフィルタ処理することにより得ることができる。
【００６０】
このように、計測用脈波は、閉塞端点を示す特徴点を検出するために用いられ、基準脈波は、閉塞端点が１心拍周期中のどの時点で発生したかを検出するために用いられる。
【００６１】
検出処理部１０４によるＶ０およびＰＣ０の決定方法については上述の特許第１５４７９５９号公報（特許文献１）と同様であってよい。本実施の形態では、たとえば、動脈容積変化信号の最大値が検出された時点の動脈容積信号の値（好ましくは、１拍分の平均値）をＶ０と決定し、その時点のカフ圧をＰＣ０として決定する。
【００６２】
サーボ制御部１０６は、調整機構５０と接続され、動脈容積検出回路７４Ａから得られる動脈容積信号の値（動脈容積値）がＶ０と一致するようにサーボ制御を行なう。つまり、動脈容積変化信号の値がほぼゼロになるように、カフ２０内の圧力をフィードバック制御する。この制御を動脈容積一定制御と呼ぶ。
【００６３】
血圧決定部１０８は、サーボ制御の期間中、血圧を連続的に決定（測定）する。具体的には、動脈容積検出回路７４Ａから動脈容積信号およびカフ圧取得部１０２からのカフ圧信号を時系列に取得し、動脈容積値とＶ０との差が所定の閾値以下である時点のカフ圧を血圧として決定する。
【００６４】
なお、一連の血圧測定期間中、ＣＰＵ１００は、発光素子駆動回路７３Ａに指令信号を送信することにより、一定の間隔で発光素子７１Ａを発光させているものとする。また、ＣＰＵ１００は、少なくとも、範囲決定処理部１０３による処理期間中、発光素子駆動回路７３Ｂに指令信号を送信することにより、一定の間隔で発光素子７１Ｂを発光させているものとする。
【００６５】
また、ＣＰＵ１００に含まれる各機能ブロックの動作は、メモリ部４２中に格納されたソフトウェアを実行することで実現されてもよいし、これらの機能ブロックのうち少なくとも１つについては、ハードウェアで実現されてもよい。
【００６６】
＜動作について＞
図７は、本発明の実施の形態における血圧測定処理を示すフローチャートである。図７のフローチャートに示す処理は、予めプログラムとしてメモリ部４２に格納されており、ＣＰＵ１００がこのプログラムを読み出して実行することにより、血圧測定処理の機能が実現される。
【００６７】
図７を参照して、ＣＰＵ１００は、電源スイッチ４１Ａが押下されたか否かを判断する（ステップＳ２）。電源スイッチ４１Ａが押下されたと判断した場合（ステップＳ２においてＹＥＳ）、ステップＳ４に進む。
【００６８】
ステップＳ４において、ＣＰＵ１００は、初期化処理を行なう。具体的には、メモリ部４２のたとえば所定の領域を初期化し、空気袋２１の空気を排気し、圧力センサ３２の０ｍｍＨｇ補正を行なう。
【００６９】
初期化が終わると、ＣＰＵ１００は、測定スイッチ４１Ｂが押下されたか否かを判断する（ステップＳ６）。測定スイッチ４１Ｂが押下されるまで待機する。測定スイッチ４１Ｂが押下されたと判断すると（ステップＳ６においてＹＥＳ）、ステップＳ７に進む。
【００７０】
ステップＳ７において、範囲決定処理部１０３は、制御範囲決定処理を実行する。制御範囲決定処理については、図８のフローチャートおよび図９を用いて後述する。
【００７１】
制御範囲が決定されると、検出処理部１０４は、制御目標値検出処理を実行する。すなわち、Ｖ０およびＰＣ０が決定される。制御目標値検出処理については、図１０のフローチャートを用いて後述する。
【００７２】
Ｖ０およびＰＣ０が決定されると、サーボ制御部１０６は、カフ圧をＰＣ０に設定する（ステップＳ１０）。これにより、動脈容積信号とＶ０とが一致するようにカフ圧が調整される。
【００７３】
次に、サーボ制御部１０６は、動脈容積信号がＶ０と一致するように、動脈容積一定制御を実行する（ステップＳ１２）。つまり、調整機構５０を制御することにより、動脈容積変化信号の値がほぼゼロになるように、カフ圧をフィードバック制御する。動脈容積変化信号は、たとえば、動脈容積信号をフィルタ処理することで得ることができる。
【００７４】
このような動脈容積一定制御に並行して、血圧決定部１０８は、動脈容積（動脈容積信号が示す値）とＶ０との差は所定の閾値以下であるか否かを判断する（ステップＳ１４）。つまり、容積変化信号の値がゼロに近いか（所定の閾値以下であるか）否かが判断される。
【００７５】
動脈容積とＶ０との差が閾値以下であると判断した場合（ステップＳ１４においてＹＥＳ）、血圧決定部１０８は、そのときのカフ圧を血圧として決定し、フラッシュメモリ４３に格納する（ステップＳ１６）。ステップＳ１６の処理が終わると、ステップＳ１８に進む。
【００７６】
一方、動脈容積とＶ０との差が所定の閾値を超えると判断した場合（ステップＳ１４においてＮＯ）、ステップＳ１８に進む。つまり、動脈容積とＶ０とがほぼ一致しているといえない場合には、そのときのカフ圧は血圧値として決定されない。
【００７７】
ステップＳ１８において、サーボ制御部１０６は、停止スイッチ４１Ｃが押下されたか否かを判断する。停止スイッチ４１Ｃが押下されていないと判断した場合（ステップＳ１８においてＮＯ）、ステップＳ１２に戻る。停止スイッチ４１Ｃが押下されたと判断した場合（ステップＳ１８においてＹＥＳ）、一連の血圧測定処理は終了される。なお、本実施の形態では、停止スイッチ４１Ｃの押下が検知された場合に、血圧測定処理を終了することとしたが、動脈容積一定制御が開始されてから所定時間経過した場合に、終了することとしてもよい。
【００７８】
以下に、制御範囲決定処理および制御目標値検出処理について詳細に説明する。
（制御範囲決定処理について）
図８および図９を用いて当該処理について説明する。
【００７９】
図８は、本発明の実施の形態における制御範囲決定処理を示すフローチャートである。図９は、基準脈波の各特徴点における容積レベルを示す図である。
【００８０】
図８を参照して、まず、範囲決定処理部１０３の調整制御部１１２は、カフ圧を初期カフ圧値に設定する（ステップＳＴ２１）。急速加圧により瞬時血圧を測定する場合、初期カフ圧は被測定者の最低血圧より十分低い圧力であり、例えば０ｍｍＨｇとすればよい。
【００８１】
次に、範囲決定処理部１０３は、基準脈波から、脈の立上りの検出処理を実行する（ステップＳＴ２２）。脈の立ち上り点（図９の点Ｐａ１１）は、様々な方法で検出できるが、一般には、脈波信号にハイパスフィルタや微分処理を施すことにより、立上りを強調した信号の振幅を抽出する。そして抽出された振幅値が所定の閾値を上回る点が立ち上り点として検出できる。
【００８２】
ステップＳＴ２２の処理は、脈の立ち上りが検出されるまで実行される（ステップＳＴ２３においてＮＯ）。
【００８３】
範囲決定処理部１０３は、脈の立上りを検出したと判断すると（ステップＳＴ２３においてＹＥＳ）、加圧を開始する（ステップＳＴ２４）。加圧の速度は脈波の立ち上がり速度とほぼ同等になるよう、予め設定した値とする。例えば、脈圧（最高血圧と最低血圧の差）が５０ｍｍＨｇで脈の立上り時間が０．１秒の標準的な場合を想定する。その場合、加圧速度を５００ｍｍＨｇ／ｓとればよい。なお、加圧速度は、このような値に限定されず、一般的な成人の脈圧と心拍数を考慮した速度、たとえば、３００〜８００ｍｍＨｇ／ｓの間に設定することが好ましい。
【００８４】
カフの加圧は、閉塞開始点（図１，２における点Ｐｓと同じ）が検出済みと判断されるまで（ステップＳＴ３０）、継続される。
【００８５】
カフの加圧処理に続いて、範囲決定処理部１０３の算出部１１４は、基準脈波の１心拍内の最大値と最小値を検出する。算出部１１４は、現在の基準脈波が最大値であるかを判断し、最大値と判断された場合に（ステップＳＴ２５においてＹＥＳ）、その値をメモリ部４２に格納（更新）する（ステップＳＴ２６）。同様に、現在の基準脈波が最小値であるかを判断し、最小値と判断された場合に（ステップＳＴ２７においてＹＥＳ）、その値をメモリ部４２に格納（更新）する（ステップＳＴ２８）。
【００８６】
続いて、算出部１１４は、計測用脈波から閉塞開始点を検出する（ステップＳＴ２９）。閉塞開始点は様々な方法で検出できるが、例えば前述した基準脈波からの脈の立上り検出と同等の方法で計測用脈波の立上りを検出すればよい。閉塞開始点を検出したと判断されたら（ステップＳＴ３０においてＹＥＳ）、その時のカフ圧を瞬時血圧値（「ＢＰ＿ｉｎｓｔ」と表わす）として検出し、同時にその時点（図９の時刻ｔＰｓ）の基準脈波のレベル（「Ｌｐ＿ｉｎｓｔ」と表わす）を検出する（ステップＳＴ３１）。検出されたこれらの値はメモリ部４２に格納される。
【００８７】
閉塞開始点検出後は制御目標値検出処理に移行するまで、カフ圧を閉塞開始点検出時の値（すなわち瞬時血圧値（Ｂｐ＿ｉｎｓｔ））に等しい値に維持する（ステップＳＴ３２）。これにより、制御目標値検出処理に移行後のカフ圧の調整時間を短縮することができる。
【００８８】
カフの加圧を開始して以降、基準脈波から次の立上り（図９の点Ｐａ１２）を検出したと判断された場合に（ステップＳＴ３３においてＮＯ）、メモリ部４２に格納されている基準脈波の最大値を最高血圧時の脈波レベル（「Ｌｐ＿ｓｙｓ」と表わす）として確定し、同様に基準脈波の最小値を最低血圧時の脈波レベル（「Ｌｐ＿ｄｉａ」と表わす）として確定する（ステップＳＴ３４）。
【００８９】
その後、下記の式（１），（２）により、カフ圧制御最大値（「Ｐｃ＿ｍａｘ」と表わす）と、カフ圧制御最小値（「Ｐｃ＿ｍｉｎ」と表わす）を算出する（ステップＳＴ３５）。これらの値Ｐｃ＿ｍａｘ、Ｐｃ＿ｍｉｎは、制御目標値検出処理におけるカフ圧の制御範囲の上限値と下限値である。
【００９０】
【数１】
2010051659.tif 000003
【００９１】
上記式（１）において、“ＰＰ”は脈圧値を表す。実際の被験者の脈圧は瞬時血圧１点からはわからないため、本実施の形態では脈圧値ＰＰは、所定値であることとする。
【００９２】
つまり、本実施の形態では、基準脈波の振幅値ΔＶに対する、基準脈波の最大値と瞬時血圧が検出された時点の値との差（Δｖ）の比率を、脈圧値ＰＰに乗算した値を、瞬時血圧値に加算することにより、被測定者の最高血圧を推定する。そして、この推定された最高血圧を、制御範囲の上限値として決定する。
【００９３】
したがって、脈圧値ＰＰの値は、想定される脈圧の最大値とすることが好ましく、ここでは、多数のサンプルにおける脈圧の最大値である１５０ｍｍＨｇを利用する。その結果、式（１）より、制御範囲の最大値Ｐｃ＿ｍａｘは、被験者の脈圧を１５０ｍｍＨｇと仮定したときの最高血圧となる。また、制御範囲の最小値Ｐｃ＿ｍｉｎは、被験者の脈圧を１５０ｍｍＨｇと仮定したときの最低血圧となる。ただし、最大値Ｐｃ＿ｍａｘの上限を３００ｍｍＨｇとし、この値を超える場合は、最大値Ｐｃ＿ｍａｘを３００ｍｍＨｇとすることが好ましい。同様に、最小値Ｐｃ＿ｍｉｎの下限を４０ｍｍＨｇとし、この値を下回る場合はＰｃ＿ｍｉｎを４０ｍｍＨｇとすることが好ましい。
【００９４】
このように、所定の脈圧値ＰＰを想定される脈圧の最大値として定めることで、脈圧が大きい被測定者であっても、適切な制御範囲を定めることができる。
【００９５】
なお、本実施の形態では、瞬時血圧値は、カフ２０を急速に加圧して求めることとしたが、急速に減圧して求めてもよい。
【００９６】
（制御目標値検出処理について）
ここでは、カフ圧の減圧中に制御目標値を検出する場合について説明する。なお、加圧中に検出してもよい。
【００９７】
図１０は、本発明の実施の形態における制御目標値検出処理を示すフローチャートである。
【００９８】
図１０を参照して、検出処理部１０４は、動脈容積変化信号（PGac）の最大値と、そのときの動脈容積信号（PGdc）およびカフ圧とを格納するメモリ部４２内の領域を初期化する（ステップＳＴ４１）。なお、以下の処理において動脈容積変化信号の最大値は随時更新されるものであるので、最終的に最大値として確定するまでの値を「容積変化仮最大値」というものとする。
【００９９】
次に、検出処理部１０４は、カフ圧を制御範囲の最大値Ｐｃ＿ｍａｘに設定し（ステップＳＴ４２）、カフ２０の徐速での減圧を開始する（ステップＳＴ４３）。
【０１００】
カフ２０を減圧する段階において、検出処理部１０４は、動脈容積検出回路７４Ａから入力する容積脈波信号に基づき、動脈容積信号と動脈容積変化信号を検出する（ステップＳＴ４４）。
【０１０１】
検出処理部１０４は、動脈容積変化信号の値がメモリ部４２に記憶された容積変化仮最大値以上であるか否かを判断する（ステップＳＴ４５）。動脈容積変化信号の値が容積変化仮最大値以上であると判断された場合（ステップＳＴ４５において「≧容積変化仮最大値」）、ステップＳＴ４６に進む。一方、動脈容積変化信号が容積変化仮最大値未満であると判断された場合（ステップＳＴ４５において「＜容積変化仮最大値」）、ステップＳＴ４７に進む。
【０１０２】
ステップＳＴ４６において、検出処理部１０４は、容積変化仮最大値を更新するとともに、その時点におけるカフ圧と動脈容積信号の値を上書き記録する。この処理が終わると、処理はステップＳＴ４７に移される。
【０１０３】
ステップＳＴ４７において、検出処理部１０４は、検出するカフ圧が制御範囲の下限値Ｐｃ＿ｍｉｎに達したか否かを判断する。カフ圧が下限値Ｐｃ＿ｍｉｎに達していないと判断した場合（ステップＳＴ４７において「＞Ｐｃ＿ｍｉｎ」）、ステップＳＴ４３に戻り、上記処理を繰返す。一方、カフ圧が下限値Ｐｃ＿ｍｉｎに達したと判断した場合（ステップＳＴ４７において「≦Ｐｃ＿ｍｉｎ」）、ステップＳＴ４８に進む。
【０１０４】
ステップＳＴ４８において、検出処理部１０４は、ステップＳＴ４６において最終的に記録された容積変化仮最大値を容積変化最大値として確定するとともに、容積変化最大値が検出された時点において検出された動脈容積信号の値を制御目標値Ｖ０として確定し、その時点において検出されたカフ圧を、制御初期カフ圧ＰＣ０として確定する。つまり、ステップＳＴ４６において記録されている動脈容積値およびカフ圧を、それぞれ、Ｖ０およびＰＣ０として決定する。
【０１０５】
以上で、制御目標値検出処理は終了される。
図１１は、本発明の実施の形態における、制御範囲の決定からＶ０決定までのカフ圧制御の様子を示すグラフである。図１１には、カフ圧、および、被測定者の仮想的な血圧が時間軸に沿って示されている。測定が開始されると、１心拍内に０ｍｍＨｇから閉塞開始点が検出されるまで瞬時にカフ圧が上昇制御される（カフ圧＝Ｂｐ＿ｉｎｓｔ）。そして、制御範囲が決定されると、カフ圧が制御範囲の上限値Ｐｃ＿ｍａｘにセットされ、下限値Ｐｃ＿ｍｉｎまで徐々に減圧される。図中、制御範囲の決定に要する時間が時間ＴＡで示され、Ｖ０検出に要する時間が時間ＴＢで示されている。本実施の形態によると、時間ＴＡは、０．４〜０．６秒程度である。このように、瞬時に制御範囲を決定することができるため、制御範囲を従来よりも狭くすることができる。その結果、Ｖ０の検出精度を維持したまま、血圧の連続測定を開始するまでにかかる時間（ＴＡ＋ＴＢ）を従来よりも短縮することができる。
【０１０６】
＜データ構造について＞
次に、以上の血圧測定処理によりフラッシュメモリ４３に格納される各測定データのデータ構造について説明する。
【０１０７】
図１２は、本発明の実施の形態における各測定データのデータ構造を示す図である。
図１２（ａ）を参照して、フラッシュメモリ４３に格納される測定データ８０の各々は、一例として「ＩＤ情報」、「記録日時」、「血圧情報」の３つのフィールド８１〜８３を含む。各フィールドの内容について概略すると、「ＩＤ情報」フィールド８１は、各測定データを特定するための識別番号などを格納し、「記録日時」フィールド８２は、計時部４５により計時された、各測定データの測定開始日時や測定期間などの情報を格納する。また、「血圧情報」フィールド８３は、時系列の血圧データすなわち、脈波波形データを格納する。
【０１０８】
図１２（ｂ）は、測定データに含まれる血圧情報フィールド８３のデータ構造を示す図である。図１２（ｂ）を参照して、血圧情報フィールド８３は、「時間データ」を格納する領域８３１と、「血圧データ」を格納する領域８３２とを有している。
【０１０９】
領域８３１には、サンプリング周期に応じた複数の時間データ１，２，３，・・・，Ｎが格納される。領域８３２には、領域８３１の時間データそれぞれと対応付けて、血圧データＢＤ（１），ＢＤ（２），・・・，ＢＤ（ｎ）が格納される。領域８３２中、「−」で示された領域は、その時点における動脈容積の値と目標値との差が所定値を越えていて血圧として記録されなかったことを示している。
【０１１０】
なお、格納形態は、このような例に限定されず、時間（時刻）と血圧とが対応付けられて記憶されればよい。
【０１１１】
このように、フラッシュメモリ４３には、血圧情報が記憶される。この血圧情報は、最高血圧、最低血圧、平均血圧などの血圧値の他、脈拍数、ＡＩなど、脈波から算出可能な指標をも含んでよい。
【０１１２】
＜変形例＞
続いて、制御範囲の上限値Ｐｃ＿ｍａｘと下限値Ｐｃ＿ｍｉｎを算出する別の実施例を本発明の実施の形態の変形例として説明する。
【０１１３】
前述の算出方法は被験者の脈圧（脈圧値ＰＰ）を１５０ｍｍＨｇと仮定したため、脈圧が１５０より低い被験者にとっては不必要に高い上限値となる。この問題を解決するため、本変形例においては、カフ２０の加圧を２回行うことにより瞬時血圧値を２点（ＢＰ＿ｉｎｓｔ１とＢＰ＿ｉｎｓｔ２）検出し、同時にその時の基準脈波のレベル（Ｌｐ＿ｉｎｓｔ１とＬｐ＿ｉｎｓｔ２）を検出する。そして、下記の式３により被験者の脈圧（脈圧値ＰＰ）を推定して、推定された脈圧値ＰＰを上記式１と式２に代入することで、制御範囲の上限値Ｐｃ＿ｍａｘと下限値Ｐｃ＿ｍｉｎを算出する。
【０１１４】
【数２】
2010051659.tif 000004
【０１１５】
この処理によって、被験者の脈圧に応じたカフ圧の制御範囲の設定が可能になる。式３から被験者の脈圧が推定できる理由を図１３を用いて説明する。図１３は、動脈容積波形（基準脈波）と血圧波形との関係を示す図であり、図１３（Ａ）に動脈容積波形、図１３（Ｂ）に血圧波形が示される。
【０１１６】
図１３に示されるように、血圧波形と動脈容積波形は相似関係にある。そのため、２点の瞬時血圧値の差（ＢＰ＿ｉｎｓｔ１−ＢＰ＿ｉｎｓｔ２）と、最高血圧と最低血圧との差（ＳＹＳ−ＤＩＡ、すなわち脈圧（ＰＰ））との比は、２点の閉塞開始点の脈波レベルの差（Ｌｐ＿ｉｎｓｔ１−Ｌｐ＿ｉｎｓｔ２）と最高血圧・最低血圧時点の脈波レベルの差（Ｌｐ＿ｓｙｓ−Ｌｐ＿ｄｉａ）の差の比と等しいことを利用する。
【０１１７】
図１４は、本発明の実施の形態の変形例における制御範囲決定処理を示すフローチャートである。なお、図８のフローチャートと同様の処理については同一のステップ番号を付してある。したがって、ここではそれらについての説明は繰返さない。
【０１１８】
図１４を参照して、ステップＳＴ３１において瞬時血圧値（ＢＰ＿ｉｎｓｔ）と、そのときの基準脈波のレベル（Ｌｐ＿ｉｎｓｔ）とが検出されると、算出部１１４は、閉塞開始点が２点検出されたか否かを判断する（ステップＳＴ６２）。条件を満たしていない場合には（ステップＳＴ６２においてＮＯ）、ステップＳＴ２１に戻り、２点目の閉塞開始点を検出するための処理を再度実行する。
【０１１９】
一方、条件を満たす場合すなわち、閉塞開始点が２点検出されたと判断された場合（ステップＳＴ６２においてＹＥＳ）、上述のステップＳＴ３２〜ＳＴ３４の処理が実行される。ステップＳＴ３４にて最高血圧時の脈波レベル（Ｌｐ＿ｓｙｓ）および最低血圧時の脈波レベル（Ｌｐ＿ｄｉａ）が確定されると、算出部１１４は、被測定者の脈圧を上記式（３）に従い推定する（ステップＳＴ６５）。脈圧が推定されると、上記式（１），（２）の“ＰＰ”に推定した脈圧値を代入することにより、制御範囲の上限値Ｐｃ＿ｍａｘおよび下限値Ｐｃ＿ｍｉｎを算出する（ステップＳＴ６６）。
【０１２０】
このように、本変形例によると、動脈容積波形と血圧波形とが相似関係にあることを利用して、被測定者の脈圧を推定する。これにより、脈圧が小さい被測定者であれば、さらにＶ０検出に要する時間を短縮することができる。なお、本変形例では閉塞開始点を２点検出するため制御範囲の決定処理に上記実施の形態よりも多い時間がかかるが、それでも１秒程度で済むため、結果として、（脈圧が高くなければ、）血圧の連続測定を開始するまでにかかる時間を上記実施の形態よりも短縮することができる。
【０１２１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１２２】
【図１】瞬時にカフ圧を加圧した場合における動脈容積信号の特性と最高血圧との関係を示す図である。
【図２】瞬時にカフ圧を加圧した場合における動脈容積信号の特性と最低血圧との関係を示す図である。
【図３】本発明の実施の形態に係る血圧情報測定装置の外観斜視図である。
【図４】本発明の実施の形態に係る血圧情報測定装置のハードウェア構成を表わすブロック図である。
【図５】本発明の実施の形態における各動脈容積センサの配置例を示す図である。
【図６】本発明の実施の形態に係る血圧情報測定装置１の機能構成を示す機能ブロック図である。
【図７】本発明の実施の形態における血圧測定処理を示すフローチャートである。
【図８】本発明の実施の形態における制御範囲決定処理を示すフローチャートである。
【図９】基準脈波の各特徴点における容積レベルを示す図である。
【図１０】本発明の実施の形態における制御目標値検出処理を示すフローチャートである。
【図１１】本発明の実施の形態における、制御範囲の決定からＶ０決定までのカフ圧制御の一例を示すグラフである。
【図１２】本発明の実施の形態における各測定データのデータ構造を示す図である。
【図１３】動脈容積波形（基準脈波）と血圧波形との関係を示す図である。
【図１４】本発明の実施の形態の変形例における制御範囲決定処理を示すフローチャートである。
【符号の説明】
【０１２３】
１  血圧情報測定装置、１０  本体部、２０  カフ、２１  空気袋、３０  エア系、３１  エアチューブ、３２  圧力センサ、３３  発振回路、４０  表示部、４１  操作部、４１Ａ  電源スイッチ、４１Ｂ  測定スイッチ、４１Ｃ  停止スイッチ、４１Ｄ  メモリスイッチ、４２  メモリ部、４３  フラッシュメモリ、４４  電源、４５  計時部、４６  インターフェイス部、５０  調整機構、５１  ポンプ、５２  弁、５３  ポンプ駆動回路、５４  弁駆動回路、７０Ａ，７０Ｂ  動脈容積センサ、７１Ａ，７１Ｂ  発光素子、７２Ａ，７２Ｂ  受光素子、７３Ａ，７３Ｂ  発光素子駆動回路、７４Ａ，７４Ｂ  動脈容積検出回路、１００  ＣＰＵ、１０２  カフ圧取得部、１０３  範囲決定処理部、１０４  検出処理部、１０６  サーボ制御部、１０８  血圧決定部、１１２  調整制御部、１１４  算出部、１３２  記録媒体。
【図１】
2010051659.tif 000005
【図２】
2010051659.tif 000006
【図３】
2010051659.tif 000007
【図４】
2010051659.tif 000008
【図５】
2010051659.tif 000009
【図６】
2010051659.tif 000010
【図７】
2010051659.tif 000011
【図８】
2010051659.tif 000012
【図９】
2010051659.tif 000013
【図１０】
2010051659.tif 000014
【図１１】
2010051659.tif 000015
【図１２】
2010051659.tif 000016
【図１３】
2010051659.tif 000017
【図１４】
2010051659.tif 000018